(57)【要約】【課題】  植物生体に有する経路と「経穴」を探索測定方法の開発を目的として、長期に亘る研究から創作する技術を開発を以って、植物生体の活性力、成長力、還元力を「植物生体の機能的な改善方法」で生体のポテンシャルの拡大能力の誕生を以って、遂行する生体機能を改善する手段を提供するものである。【解決手段】  植物は酸素を提供する偉大な生物である。人や動物は、全て酸素の消費で生存する生物である。従って、植物の活性化や成長力などの促進、発展は全て地球的環境の改善に繁栄する。即ち、二酸化炭素の削減に大いに貢献するものである。【選択図】図１
2011004729.tif 000002
【特許請求の範囲】
【請求項１】
植物生体が有する極性的電気（電場）を測定する可能なデジタル式テスター回路に並列的に結合しうる一対のプロープを備えていることを特徴とする植物生体の極性的電気の電圧及び電流の測定方法。
【請求項２】
デジタル式テスターの電圧及び電流計を用いて、プロープを組合せ（セット）た植物生体を測定又は経穴（ツボ）を探索することを特徴とした請求項１の植物生体の極性的電気の電圧及び電流の測定方法。
【請求項３】
植物生体が有する経絡による経穴（ツボ）を、デジタル式テスター及び組合せたプロープを用いて探索し、その「ツボ」に金属体、及び通電体を用いて、生体内部と外部を直結する方法を用いて植物生体の活性化や治療や成長促進を図ることを特徴とした請求項１，２の植物生体の極性的電気の電圧及び電流の測定方法。
【発明の詳細な説明】
【技術分野】
【０００１】  植物生体の電気的な測定を以って、生体の成長と活性化に加えて病微治療による自然環境の改善及び食料環境の改善に関する。
【背景技術】
【０００２】  植物生体は、酸素の供給者として生存し「人や動物」は酸素の消費者として生存する。全く不可分の関係にある中で現下の地球的環境は、炭酸ガス濃度による温暖化で森林整備の必要性や食料生産のシステム改善の必要性が特にクローズアップされている。
然るに、植物生体の生理機構については未だに不明の点が多く現下の「松枯れ病や花粉症の発生原因とその抑制」などによる国民的な被害や損害は目に余る最悪の極みである。にも係わらず国際的にも「病理学」があってもその治療学がないのが最大の欠陥である。
【発明の開示】
【発明が解決しようとする課題】
【０００３】  本発明が現下の最悪環境を改善しようとする最大課題は、植物生体の機能的な改善による自然環境と食料関係の改善を以って、地球的温暖化の削減方法である。
【課題を解決するための手段】
【０００４】（１）  概  念
植物生体の「動的平衡」を促進するための生体の機能的な改善を図る方法。即ち、本発明が約２０数年を要して開発した、植物生体の経穴（ツボ）を刺激する方法である。
人体が有する陰陽五行説に類似する経穴が、植物生体に存在することが判った経緯から本発明が意図する測定方法の測定器が生まれたのである。【０００５】（２）  概  要
植物の生理機構は全て水分バランスが最大要件である。即ち、水中から発生した経緯から現在の陸上に生存する理由から生まれる論理である。
従って、培地中から吸水（吸引）差による成長差から生まれているのは、生体電位の不均衡が原因であるとの判断から、生体の経穴を測定し、その生体の中心柱（内側）と外皮（外側）をハリピン、釘、ネジ等の金属体（通電体）で直結すると、生体の内、外が平衡的に改善される。即ち、従来は中心柱のみで吸収、吸引していた吸水力が生体全体で吸水するシステムが生まれると同時に生体全体の吸水配分力が容易化されるからアレパシー（制圧、生体）が生まれるので成長力や生存力が倍加されるのである。【０００６】    用  途
自然木、森林木、樹木、果樹木、花木、人工木、挿し木、野菜、水耕栽培、病微木、花木、菌根の増殖に加えて植物全般の病気治療など。【０００７】    適用形態
植物生体は、それぞれの役割を忠実に頑固に守り、各役割を分担して最生命力を有する生物体である。本来植物は水中から発生し、環境の変化に伴い約５億年前から現代に至る偉大な生物である。即ち、陸上の生存に伴い「水ストレス」の持病と、そのＤＮＡの生体である所以である。
従って、生体バランスの恒常化と養分や各生長ホルモンの配分と輸送力の改善が、成長促進の最大要件である。然るに、培地より吸水や養分の配分や各生長ホルモンの配分路が生体の内、外で異なることは、成長の抑制になる欠点を改善と進化させる方法が植物生体の機能的な改善方法（別件特許出願中）である。その改善方法が、生体の中間柱（導管など）を形成層、内皮、外皮との電位差の改善手段が生体の恒常的な電位平衡を図る結果を生み植物生体の活性化と成長促進のエネルギーとなることが多くの実験を経て発見されたのでその「ツボ」の探索の必要性から本件測定方法が生まれたのである。
【発明の効果】
【０００８】  本発明の測定方法による植物生体の成長や病微木の治療方法はすこぶる容易で、単純でシンプルな手段である。即ち、昭和３０年代より発生して現在の松枯れ病（マツノザイセンチウ）や現下の国民病である花粉症の原因である花粉木（スギ、ヒノ木、マツ）等の生体の経穴に「針ピン、ステップル、釘、ネジ」などを差込又は打ち込むと極めて短時間でその成果が期待できると同時に二酸化炭素の削減に大いに貢献できる。本発明の効果は、国際的にも大きな期待が出来得るものである。
【発明を実施するための最良の形態】
【０００９】（１）
本発明に関連する「ニードル農法」とは、針ピンや釘などを生体に差し込む方法で「植物生体を機能的に改善する方法」で、本件発明者が別個技術で目下、特許出願中である。
この技術と本件技術の組合せで実施することがベストであり、自然環境に大いに貢献する所以である。
（２）
植物生体が有する電気は、極性的電気（電場）は植物生体の活力や成長力を示す一種の指標である。
従って、同地、同種，同令の植物生体近傍の培地と生体胸高幹（地上約１３０ｃｍ）を通常電圧テスターで測定すると電位の高いほど活性力と健康生体であることが推定できる。
従って、同木と比較木との比較は、各胸高値の測定と共に本測定方法で探索した根際近傍の経穴ツボに金属体を挿入後に再度胸高値を測定してその数値電圧で判断できる。
（３）
植物生体を測定する本件測定方法は長期に亘る研究を重ねて生まれた本件技術である。
従って、本件に属する測定方法は、国際的にも全く存在しない方法である事に加えて、経穴ツボに金属体を挿入して生体機能を改善する方法も国際的にも全く存在しない例のない方法である。
しかるに、本件を実施活用することで、従来の植物生体の成長力は、３０〜４０％の肥大成長力が生まれることが判明している。即ち、杉の３５年生の平均的な年間の二酸化炭素量の固定は約６８ｋｇである。従って、この３０％成長を仮定すると年間約２０ｋｇの炭素ガスの固定が生まれるのである。しかも、杉の生育が３０％早く成木になり、炭素ガス約２０ｋｇ削減が２０年続けば、杉一本で４００ｋｇの削減効果が生まれるから地球的な自然環境の改善に大いに貢献でき得る技術である。【００１０】    測定方法
本件デジタル式テスターにプロープを組み合わせたテスターの握り部（９）を右手に持ち、テスター先端部（８）陽極（＋）を植物生体の表皮部に差込み、左手の平を生体の表皮部に接触して、通電（テスターに電源を入れる）すると、極性的電位が、テスター表示部（２）に表示されて電圧数値（ミリ、ボルト）が解かる。右手に持つテスターの先端部の位置に差し替えて、数値ボルトの高電位を探索する事が本件技術の一つである。その高電位部が「経穴ツボ」である。従って、そのツボに「針、釘、ステップル、ネジ」等の生体木に応じた約２ｃｍ〜５ｃｍの通電体を打ち込み又は差込んで「中心柱と表皮部」を直結すると、生体木の胸高置電位が、アップ率（直結の前、後）の差が生体の活性化や成長促進や病微治療などの因果となる。即ち、肝心要の「ツボ」の良否が成果のポイントである。
【図面の簡単な説明】
【００１１】
【図１】本発明測定器の概略回路図
【図２】本発明の測定器の平面図
【符号の説明】
【００１２】１  テスター
２  表示板
３  スイッチ
４  ダイオード
５  抵抗
６  リード線
７  プロープ
８  先端部（＋）
９  握り部（−）
【図１】
2011004729.tif 000003
【図２】
2011004729.tif 000004
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
植物生体が有する極性の電位を測定可能なデジタル式テスター回路、及び、該テスター回路に並列的に結合しうる一対のプローブを用いて、プラス極性を有するプローブを植物生体の表皮部に差し込み、マイナス極性を有するプローブを植物生体の表皮部に接触させて、高電位を示す部位を、植物生体が有する経絡による経穴（ツボ）として探索するステップと、探索した前記経穴（ツボ）に通電体を用いて植物生体の内部と外部を直結するステップと、を備え、植物生体の活性化や治療や成長促進を図ることを特徴とした植物生体の経穴（ツボ）位置の測定方法。
【請求項２】
植物生体が有する極性の電位を測定可能なデジタル式テスター回路、及び、該テスター回路に並列的に結合しうる一対のプローブを用いて、プラス極性を有するプローブの先端部を植物生体の表皮部に差し込み、マイナス極性を有するプローブを握り部として測定者が片手で握り、一方の手を植物生体の表皮部に接触させて、高電位を示す部位を、植物生体が有する経絡による経穴（ツボ）として探索するステップと、探索した前記経穴（ツボ）に通電体を用いて植物生体の内部と外部を直結するステップと、を備え、植物生体の活性化や治療や成長促進を図ることを特徴とした植物生体の経穴（ツボ）位置の測定方法。
【手続補正３】
【補正対象書類名】明細書
【補正対象項目名】００１０
【補正方法】変更
【補正の内容】
【００１０】
測定方法
本件デジタル式テスターにプローブを組み合わせたテスターの握り部（９）を右手に持ち、テスター先端部（８）の陽極（＋）を植物生体の表皮部に差込み、左手の平を生体の表皮部に接触して、テスターに電源を入れて通電すると、極性の電位が、テスター表示部（２）に表示されて電圧数値（ミリ、ボルト）が解かる。右手に持つテスターの先端部の位置に差し替えて、数値ボルトの高電位を探索する事が本件技術の一つである。その高電位部が「経穴（ツボ）」である。従って、そのツボに「針、釘、ステップル、ネジ」等の生体木に応じた約２ｃｍ〜５ｃｍの通電体を打ち込み又は差込んで「中心柱と表皮部」を直結すると、生体木の胸高値電位が、直結の前後のアップ率の差が生体の活性化や成長促進や病微治療などの因果となる。即ち、肝心要の「ツボ」の良否が成果のポイントである。